(57)【特許請求の範囲】
【請求項１】
紙製箱本体の上面部分に、実質的に環状であって、内部に収容された製品の取出口形成時において裂開する取出口用ミシン目が形成された紙製収容箱において、
前記取出口用ミシン目の一部に、内側ミシン目と外側ミシン目とからなる直線状の二重ミシン目による起立端部が形成され、
前記起立端部を残して取出口用ミシン目の他の部分を裂開したとき、前記起立端部が軸線部として前記他の部分が周縁となる開封蓋が形成され、この開封蓋が前記取出口に対して開閉自在とされ、
前記取出口用ミシン目がほぼ方形とされ、かつ二重ミシン目を裂開しながらその二重ミシン目に沿う方向に剥ぎ取り可能とされるとともに、
前記二重ミシン目と対向する辺の取出口用ミシン目のタイカット比が、１：５〜１：１０とされ、
開封蓋において、起立端部に対向する対向部と、側部の一方又は双方とに、押圧によって指穴を形成するための指穴用ミシン目が形成され、前記対向部の指穴用ミシン目は、環状とされないで切り残し部を有する、ことを特徴とする紙製収容箱。
【請求項２】
対向部指穴用ミシン目は、起立端部に対向する辺の取出口用ミシン目から開封蓋内方の切り残し部に向かう２本のカット部分と、この２本のカット部分の途中にそれぞれ設けられた少なくとも１つのタイ部分と、からなる請求項１記載の紙製収容箱。
【請求項３】
二重ミシン目のタイカット比が実質的に１：１とされ、かつタイ部分及びカット部分の長さがそれぞれ０．５ｍｍ〜１０ｍｍとされた請求項１又は請求項２記載の紙製収容箱。
【請求項４】
取出口用ミシン目は、起立端部と、これに対向する対向辺部と、両側部とを有し、起立端部側に前記起立端部と側部とを繋ぐ前記他の部分を構成する繋ぎ部をさらに有し、この繋ぎ部において、内側に内側カット部分が断続的に形成され、外側に外側カット部分を有し、外側カット部分の端のうち少なくとも一方の端は、前記隣接する内側カット部分の端を通る起立端部と直交方向への２本の延長線と交わる関係とされている請求項１記載の紙製収容箱。
【請求項５】
組立状態における上面及び幅方向一方の側面が上側となり、下面及び幅方向他方の側面が下側となった状態で折りたたまれ、上方又は下方から吸引され及び／又は側方から押されることにより長手方向両側面が開口するように開かれ、この開口部からティシュペーパー束が収容されるものであり、
その上面部分に、実質的に環状であって、内部に収容されたティシュペーパーの取出口形成時において裂開する取出口用ミシン目が形成された紙製収容箱において、
前記取出口用ミシン目の一部に、内側ミシン目と外側ミシン目とからなる直線状の二重ミシン目による起立端部が形成され、
前記起立端部を残して取出口用ミシン目の他の部分を裂開したとき、前記起立端部が軸線部として前記他の部分が周縁となる開封蓋が形成され、この開封蓋が前記取出口に対して開閉自在とされ、
前記二重ミシン目と対向する部分の取出口用ミシン目は、曲線状とされ、
前記取出口用ミシン目がほぼ方形とされ、かつ二重ミシン目を裂開しながらその二重ミシン目に沿う方向に剥ぎ取り可能とされるとともに、
前記二重ミシン目と対向する辺の取出口用ミシン目のタイカット比が、１：５〜１：１０とされ、
開封蓋において、起立端部に対向する対向部と、側部の一方又は双方とに、押圧によって指穴を形成するための指穴用ミシン目が形成され、前記対向部の指穴用ミシン目は、環状とされないで切り残し部を有する、ことを特徴とする紙製収容箱。
【発明の詳細な説明】
【０００１】
【発明の属する技術分野】
本発明は、ティッシュペーパーなどを収容する紙製収容箱に関する。より詳しくは、紙製箱本体の上面部分に、実質的に環状であって、内部に収容された製品の取出口形成時において裂開する取出口用ミシン目が形成された紙製収容箱に関する。
【０００２】
【従来の技術】
ティシュペーパーやキッチンペーパーなど製品を内部に収容する紙製収容箱には、その上面部分に、環状にミシン目が形成されたもの（以下、剥離タイプという。）や、コ字状にミシン目が形成されたもの（以下、蓋タイプという。）がある。紙製収容箱が剥離タイプの場合は、ミシン目を全て裂開することにより、ミシン目で囲繞された開封蓋を剥ぎ取って取出口を形成し、この取出口から製品を取り出して使用する。紙製収容箱が蓋タイブの場合は、ミシン目を全て裂開し、ミシン目の一端と他端とを結ぶ直線を軸として、この軸及びミシン目で囲繞された開封蓋を開くことにより取出口を形成し、この取出口から製品を取り出して使用する。そして、剥離タイプの紙製収容箱は取出口が開口されたままになるので、製品を頻繁に取り出す場合に都合がよく、蓋タイプの紙製収容箱はその開封蓋を閉じ蓋として機能させることができるので、箱本体内部に塵埃が入らないようにしたい場合などに都合がよい、というように、それぞれ利点を有している。
【０００３】
【発明が解決しようとする課題】
しかし、剥離タイプとしてでも蓋タイプとしてでも使用することができる紙製収容箱は未だ提供されていない。また、いずれのタイプとしてでも使用に耐えうるような紙製収容箱は提供されるにいたっていない。
そこで、本発明の主たる課題は、剥離タイプとしてでも蓋タイプとしてでも使用に耐えうる紙製収容箱を提供することにある。
【０００４】
【課題を解決するための手段】
上記課題を解決した本発明は、次のとおりである。
＜請求項１記載の発明＞
紙製箱本体の上面部分に、実質的に環状であって、内部に収容された製品の取出口形成時において裂開する取出口用ミシン目が形成された紙製収容箱において、
前記取出口用ミシン目の一部に、内側ミシン目と外側ミシン目とからなる直線状の二重ミシン目による起立端部が形成され、
前記起立端部を残して取出口用ミシン目の他の部分を裂開したとき、前記起立端部が軸線部として前記他の部分が周縁となる開封蓋が形成され、この開封蓋が前記取出口に対して開閉自在とされ、
前記取出口用ミシン目がほぼ方形とされ、かつ二重ミシン目を裂開しながらその二重ミシン目に沿う方向に剥ぎ取り可能とされるとともに、
前記二重ミシン目と対向する辺の取出口用ミシン目のタイカット比が、１：５〜１：１０とされ、
開封蓋において、起立端部に対向する対向部と、側部の一方又は双方とに、押圧によって指穴を形成するための指穴用ミシン目が形成され、前記対向部の指穴用ミシン目は、環状とされないで切り残し部を有する、ことを特徴とする紙製収容箱。
【０００５】
＜請求項２記載の発明＞
対向部指穴用ミシン目は、起立端部に対向する辺の取出口用ミシン目から開封蓋内方の切り残し部に向かう２本のカット部分と、この２本のカット部分の途中にそれぞれ設けられた少なくとも１つのタイ部分と、からなる請求項１記載の紙製収容箱。
【０００６】
＜請求項３記載の発明＞
二重ミシン目のタイカット比が実質的に１：１とされ、かつタイ部分及びカット部分の長さがそれぞれ０．５ｍｍ〜１０ｍｍとされた請求項１又は請求項２記載の紙製収容箱。
【０００７】
＜請求項４記載の発明＞
取出口用ミシン目は、起立端部と、これに対向する対向辺部と、両側部とを有し、起立端部側に前記起立端部と側部とを繋ぐ前記他の部分を構成する繋ぎ部をさらに有し、この繋ぎ部において、内側に内側カット部分が断続的に形成され、外側に外側カット部分を有し、外側カット部分の端のうち少なくとも一方の端は、前記隣接する内側カット部分の端を通る起立端部と直交方向への２本の延長線と交わる関係とされている請求項１記載の紙製収容箱。
【０００８】
＜請求項５記載の発明＞
組立状態における上面及び幅方向一方の側面が上側となり、下面及び幅方向他方の側面が下側となった状態で折りたたまれ、上方又は下方から吸引され及び／又は側方から押されることにより長手方向両側面が開口するように開かれ、この開口部からティシュペーパー束が収容されるものであり、
その上面部分に、実質的に環状であって、内部に収容されたティシュペーパーの取出口形成時において裂開する取出口用ミシン目が形成された紙製収容箱において、
前記取出口用ミシン目の一部に、内側ミシン目と外側ミシン目とからなる直線状の二重ミシン目による起立端部が形成され、
前記起立端部を残して取出口用ミシン目の他の部分を裂開したとき、前記起立端部が軸線部として前記他の部分が周縁となる開封蓋が形成され、この開封蓋が前記取出口に対して開閉自在とされ、
前記二重ミシン目と対向する部分の取出口用ミシン目は、曲線状とされ、
前記取出口用ミシン目がほぼ方形とされ、かつ二重ミシン目を裂開しながらその二重ミシン目に沿う方向に剥ぎ取り可能とされるとともに、
前記二重ミシン目と対向する辺の取出口用ミシン目のタイカット比が、１：５〜１：１０とされ、
開封蓋において、起立端部に対向する対向部と、側部の一方又は双方とに、押圧によって指穴を形成するための指穴用ミシン目が形成され、前記対向部の指穴用ミシン目は、環状とされないで切り残し部を有する、ことを特徴とする紙製収容箱。
【０００９】
【発明の実施の形態】
以下、本発明の実施の形態を説明する。
本実施の形態に係る紙製収容箱は、図１に示すように、紙製箱本体１の上面部分１ａに、実質的に環状であって、内部に収容された製品の取出口形成時において裂開する取出口用ミシン目１０が形成されている。
【００１０】
この取出口用ミシン目１０は、図４に示すように、その一部に、実施の形態では箱の長手方向一側部に実質的に直線状の起立端部１１が形成され、この起立端部１１は、それぞれタイ部分Ａとカット部分Ｂとが交互に繰り返される、実質的に平行な内側ミシン目１１ａと外側ミシン目１１ｂとからなる二重ミシン目とされている。
【００１１】
なお、取出口用ミシン目１０の起立端部１１以外の他の部分１２においては、内側に長いカット部分ＢＩ、外側に短いカット部分ＢＯが位置しており、カット部とタイ部とが線に沿って整列していないミシン目である点で一般的概念から離れるものの、本発明においては、不整列であっても所定の直線又は曲線状の仮想線上に沿ってタイ部分とカット部分とが交互に繰り返されるという意味において、ミシン目の概念内で取り扱うものとしている（タイ部分とカット部分の意味については、後述する。）。
【００１２】
紙製収容箱は、図２に示すように、起立端部１１を残して、取出口用ミシン目１０の他の部分１２を裂開すると、起立端部１１が軸線部として前記他の部分１２が周縁となる開封蓋２が形成され、この開封蓋２が取出口６に対して開閉自在とされたものである。
【００１３】
この蓋タイプとして使用する場合、起立端部１１は直線状かつ二重ミシン目とされているので、起立端部１１が蝶番における軸線部となる。したがって、開封蓋２は繰り返し開閉作業を行うに耐えうる開閉蓋となる。
【００１４】
また、図３に示すように、起立端部１１を含めた取出口用ミシン目１０の全体を裂開することで（図３は、裂開途中の状態を示している。）、開封蓋２が剥ぎ取られた、いわゆる剥離タイプとしても使用することができる。
【００１５】
本実施の形態では、開封蓋２を、ほぼ方形（詳細には、一側が直線状で他側が太鼓腹形状をなした小判様である）とし、箱の長手方向に沿って剥ぎ取り可能としている。
【００１６】
このように、開封蓋２をほぼ方形とし、かつ箱の長手方向に沿って剥ぎ取り可能とする場合、起立端部１１と対向する対向辺部１２Ａの取出口用ミシン目１０（本実施の形態では内側ミシン目１２ａ）のタイカット比（タイ部分Ａとカット部分Ｂとの比をいう。図５に示すように、タイ部分Ａとは切り込みの入っていない接続部分を、カット部分Ｂとは切り込みの入った部分をいう。）は、１：５〜１：１０とするのが好ましく、１：６〜１：８とするのがより好ましい。タイカット比を１：５未満とすると（つまり、カット部分Ｂの割合を小さくすると）、かかる対向辺部１２Ａの取出口用ミシン目１０を裂開しにくくなり、蓋タイプとして使用する場合において開封蓋２の当初の引き上げが困難になる。また、タイカット比を１：１０超とすると（つまり、カット部分Ｂの割合を大きくすると）、対向辺部１２Ａの取出口用ミシン目１０を裂開するための力が小さくなりすぎ、起立端部１１の取出口用ミシン目１０を裂開するための力との間で不均衡が生じるので、剥離タイプとして使用する場合において、起立端部方向（長手方向）に沿う開封蓋２の剥ぎ取り作業を円滑になせなくなる。
【００１７】
ところで、図４に示すように、起立端部１１に対向する対向部と、側部の一方又は実施の形態では双方とに、押圧によって指穴を形成するための指穴用ミシン目３，４，５が形成されている。
【００１８】
指穴用ミシン目４又は５で囲繞された部分４Ａ又は５Ａに、指先を押し込み、切り残し部分の根元を引っ掛け、長手方向の反対側端部にかけて引き上げることにより、開封蓋２を箱本体１から剥ぎ取ることができる。
【００１９】
また、指穴用ミシン目３で囲繞された部分３Ａに、指先を押し込み、引切り残し部分の根元を引っ掛け、起立端部１１側に向けて引き上げることにより、開封蓋２を、起立端部１１を軸線部とした開閉蓋２とすることができる。
【００２０】
指穴用ミシン目３は、環状とされないのが好ましい。これは、環状とすると、指を押し込んだときに、指穴用ミシン目３で囲繞された部分３Ａが開封蓋２から剥離されるため、開封蓋２の蓋としての封止機能が完全には果たされなくなることによる。
【００２１】
また、指穴用ミシン目３は、図４に示すように、対向辺部１２Ａの取出口用ミシン目１０（本実施の形態では、内側ミシン目１２ａ。以下、同じ。）から連続して内方（紙面上方）に向かう２本のカット部分３ａ，３ａと、この２本のカット部分３ａ，３ａの途中にそれぞれ設けられた少なくとも１つのタイ部分３ｂ，３ｂとからなる構成とするのがより好ましい。この形態とすると、指穴用ミシン目３の一部が対向辺部１２Ａの取出口用ミシン目１０で構成されることになるので、指を押し込み、指穴を形成すると、これと同時に対向辺部１２Ａの取出口用ミシン目１０の一部が裂開されることになるので、その後の開封蓋２の引き上げが容易になる。また、剥離タイプとして使用する場合において、開封蓋２を長手方向に剥ぎ取るに際しては、図３中に拡大して示すように、カット部分３ａ，３ａにおいてねじれが生じるところ、カット部分３ａ，３ａの途中にタイ部分３ｂ，３ｂを設けないと、かかるねじれが大きなものとなり、場合によっては、起立端部１１において層間剥離を生じる可能性がある。しかしながら、タイ部分３ｂ，３ｂを設けている本実施形態の紙製収容箱では、かかる虞がない。
【００２２】
さらに、起立端部１１の内側ミシン目１１ａと外側ミシン目１１ｂはそれぞれ、タイカット比は、１：０．５〜１：１．５が、特に実質的に１：１が望ましく、かつタイ部分Ａ及びカット部分Ｂの長さがそれぞれ０．５ｍｍ〜１０ｍｍとされるのが好ましい。これにより、開封蓋２の開閉作用に対する耐久性（蓋タイプとして使用する場合）に優れ、かつ裂開容易性（剥離タイプとして使用する場合）にも優れたものとなる。図４を照合すると明らかなように、他の部分１２のカット部分ＢＩの端が内側ミシン目１１ａの端部と接続する関係にあり、外側ミシン目１１ｂの端と離間して繋ぐ関係にあるのが望ましい。
【００２３】
他の部分１２のカット部分ＢＩの端と内側ミシン目１１ａとの接続関係は、図４に示すように、他の部分１２のカット部分ＢＩの端と内側ミシン目１１ａのタイ部分が連続する関係にすることも、図７に示すように、内側ミシン目１１ａのカット部分が接続する関係にすることもできる。
【００２４】
ところで、本実施の形態では、他の部分１２においては、内側の長いカット部分ＢＩと、外側の短いカット部分ＢＯとで取出口用ミシン目が形成されている。原則として、外側の短いカット部分ＢＯは、内側の長いカット部分ＢＩ間のタイ部分Ａ外方に位置するように形成されている。これにより、開封蓋２の剥ぎ取り又は引き上げに際して、タイ部分Ａから外側に向かって生じうる層間剥離が、外側の短いカット部分ＢＯにおいて、止められることになる。
【００２５】
ただし、図４中に拡大して示すように、起立端部１１と短い辺部とを繋ぐ繋ぎ部においては、内側ミシン目１２ａのタイ部分両端部（カット部分ＢＩ，ＢＩの端間でもある）を通る起立端部直交方向への２本の延長線Ｌ，Ｌと外側ミシン目１２ｂのカット部分ＢＯとがそれぞれ交わる関係とされるのが好ましい。この理由は、箱１全体の繊維配向が延長線Ｌ方向であることに起因して、開封蓋２の引き上げに際して（蓋タイプとして使用する場合）、かかる部分においては、起立端部１１と直交する方向に層間剥離が生じ易いので、交差しない場合に比較して、より効果的に層間剥離を止めることができる。
【００２６】
ところで、紙製収容箱が、図６の（Ａ）に示すように、組立状態における上面１ａ及び幅方向一方の側面１ｃが上側となり、下面１ｂ及び幅方向他方の側面１ｄが下側となった状態で折りたたまれ、上方又は下方から吸引され及び／又は側方から押されることにより、図６の（Ｂ）に示すような段階を経て、図６の（Ｃ）に示すように、長手方向両側面が開口するように開かれ、この開口部からティシュペーパー束が収容される場合においては、対向辺部１２Ａの取出口用ミシン目１０を曲線状とするのが好ましい。これは、直線状であると、折りたたまれた箱を開く際の吸引や押圧によって、対向辺部１２Ａの取出口用ミシン目１０が裂開する虞があることによる。
【００２７】
他方、本発明の紙製収容箱においては、開封蓋２を開けた場合または取り去った場合、収納物、たとえばティシュペーパー束を直接取り出すものでもよいし、通常のティシュペーパー箱のように、そして、図２に示すように、取出口６の内面に貼着されたポリエチレンシートなどからなる覆いシート７のスリット７ａを通して、ホールドしつつ取り出すようにしてもよい。
【００２８】
以上の他にも、図８に示すように、対向辺部（１２Ｂ）を起立端部１１と同様の形状にするとともに、これらの端部側中央部に指穴用ミシン目４及び５と同様の形状を有する指穴用ミシン目３Ｂ，３Ｂを形成することや、図９に示すように、対向辺部１２Ａ側両端部に指穴用ミシン目４及び５と同様の形状を有する指穴用ミシン目３Ｃ，３Ｃを形成することもできる。また、取出口用ミシン目１０と隔離して内側にある指穴用ミシン目４及び又は５を、指穴用ミシン目３と同様に、側辺部に接続するようにすること、指穴用ミシン目４、５は一方のみとすること、対向辺部１２Ａを直線状とすること、ならびに直線状として対向辺部１２Ａを起立端部１１のような二重ミシン目とすることなどの設計変更が可能である。
【００２９】
【発明の効果】
以上のとおり、本発明に係る紙製収容箱によれば、剥離タイプとしてでも蓋タイプとしてでも使用に耐えうるものとなる。
【図面の簡単な説明】
【図１】  紙製収容箱の斜視図である。
【図２】  蓋タイプとして使用する場合における紙製収容箱の斜視図である。
【図３】  剥離タイプとして使用する場合における紙製収容箱の斜視図である。
【図４】  ミシン目の説明図である。
【図５】  タイ部分及びカット部分の説明図である。
【図６】  箱本体の組立経過説明図である。
【図７】  起立端部と他の部分の取出口用ミシン目との接続関係を示した図である。
【図８】  指穴用ミシン目の変形例である。
【図９】  指穴用ミシン目の変形例である。
【符号の説明】
１…箱本体、２…開封蓋、３〜５…指穴用ミシン目、６…取出口、１０…取出口用ミシン目、１１ａ…内側ミシン目、１１ｂ…外側ミシン目、１１…起立端部、１２Ａ…対向辺部、１２ａ…内側ミシン目、１２ｂ…外側ミシン目、Ａ…タイ部分、ＢＩ，ＢＯ…カット部分。
【図１】
0003958567.tif 000002
【図２】
0003958567.tif 000003
【図３】
0003958567.tif 000004
【図４】
0003958567.tif 000005
【図５】
0003958567.tif 000006
【図６】
0003958567.tif 000007
【図７】
0003958567.tif 000008
【図８】
0003958567.tif 000009
【図９】
0003958567.tif 000010